(57)【要約】【課題】  ターンテーブルの下面にクランプ爪収納部形成用の爪収納部突起が突設されたものでありながらディスク再生部を簡単に薄型化できるディスククランプ装置を得ることにある。【解決手段】  ディスク回転駆動用モータ１で回転駆動されるターンテーブル２に設けた挿通孔２２から出没させるクランプ爪３と、ターンテーブル２と同期回転可能および昇降可能に配置され、上昇動作時にクランプ爪３を挿通孔２２から突出させ、かつ、下降動作時にクランプ爪３を挿通孔内２２に没入させる回転・昇降部材３と、この回転・昇降部材３を押し上げ付勢力に抗して押し下げるクランプ解除レバー６，７とを備え、前記ターンテーブル２は、その下面に突設されて挿通孔２２に連通したクランプ爪収納部を形成する爪収納部突起２４を有し、前記回転・昇降部材４には、当該回転・昇降部材４の上昇動作時に爪収納部突起２４を嵌入させる突起収納孔４２が設けられているものである。【選択図】        図１
2006351119.tif 000002
【特許請求の範囲】
【請求項１】
ディスク回転駆動用モータの出力回転軸に嵌着されたディスク載置用のターンテーブルと、このターンテーブルに回動可能に組み付けられ、当該ターンテーブルに設けられた複数の挿通孔から突出可能なディスククランプ用のクランプ爪と、前記ターンテーブルの裏側に当該ターンテーブルと同期回転可能および昇降可能に配置され、上昇動作時に前記クランプ爪を前記挿通孔からディスククランプ方向に突出回動させ、かつ、下降動作時に前記クランプ爪を前記挿通孔内に収納させる回転・昇降部材と、この回転・昇降部材を押し上げ付勢する付勢部材と、この付勢部材の付勢力に抗して前記回転・昇降部材を押し下げる方向およびその押し下げを解除する方向に移動させるクランプ解除レバーとを備えたディスククランプ装置において、
前記ターンテーブルは、その下面に突設されて前記挿通孔に連通したクランプ爪収納部を形成する爪収納部突起を有し、前記回転・昇降部材には、当該回転・昇降部材の上昇動作時に前記爪収納部突起を嵌入させる突起収納孔が設けられていることを特徴とするディスククランプ装置。
【発明の詳細な説明】
【技術分野】
【０００１】
この発明は、ディスク再生装置において、情報記録ディスクをターンテーブル上にクランプするためのディスククランプ装置に関するものである。
【背景技術】
【０００２】
従来のディスククランプ装置として、スピンドルモータの出力回転軸に嵌着されたディスク載置用のターンテーブルと、このターンテーブルの裏側に回動可能に軸支され、そのターンテーブルに設けられた複数の挿通孔からそれぞれ出没させるクランプ爪（チャック爪）と、前記ターンテーブルの下方に当該ターンテーブルと同期回転可能および昇降可能に配置され、上昇動作時に前記クランプ爪を前記挿通孔からディスククランプ方向に突出回動させ、かつ、下降動作時に前記クランプ爪を前記挿通孔内に没入させる回転・昇降部材と、この回転・昇降部材を上昇方向に付勢する押し上げスプリングと、この押し上げスプリングの付勢力に抗して前記回転・昇降部材を押し下げる方向および押し下げ解除方向に移動させるクランプ解除レバーとを備えたものは既に知られている（例えば、特許文献１参照）。
【０００３】
このような従来のディスククランプ装置においては、ターンテーブルの軸廻り部位にクランプ爪の収納空間を確保するために、ターンテーブルの下面に当該ターンテーブルの挿通孔と連通したクランプ爪収納部を形成する爪収納部突起を一体突設しており、このように下向きの爪収納部突起を一体に有するターンテーブルとディスク駆動専用のスピンドルモータとの間で回転・昇降部材を昇降動作させるようにしている。
【０００４】
【特許文献１】特開２００２−３２９３５６号公報（第４頁右欄から第５頁左欄、図１及び図５）
【発明の開示】
【発明が解決しようとする課題】
【０００５】
従来のディスククランプ装置は以上のように構成されているので、ターンテーブルの下面から突出した爪収納部突起によってディスク再生部の高さが高くなるという課題があった。すなわち、スプリングによる回転・昇降部材の上昇位置では当該回転・昇降部材の上面がターンテーブル下面の爪収納部突起の下端に当接するため、前記ターンテーブルと回転・昇降部材との間には前記爪収納部突起によるデッドスペースが生じ、このデッドスペースにより、前記ターンテーブルのスピンドルモータからの高さが高くなってディスク再生部を薄型化できないという課題があった。
【０００６】
この発明は上記のような課題を解決するためになされたもので、ターンテーブルの下面にクランプ爪収納部形成用の爪収納部突起が突設されたものでありながらディスク再生部を簡単に薄型化できるディスククランプ装置を得ることを目的とする。
【課題を解決するための手段】
【０００７】
この発明に係るディスククランプ装置は、ディスク回転駆動用モータの出力回転軸に嵌着されたディスク載置用のターンテーブルと、このターンテーブルに回動可能に組み付けられ、当該ターンテーブルに設けられた複数の挿通孔から出没させるディスククランプ用のクランプ爪と、前記ターンテーブルの裏側に当該ターンテーブルと同期回転可能および昇降可能に配置され、上昇動作時に前記クランプ爪を前記挿通孔からディスククランプ方向に突出回動させ、かつ、下降動作時に前記クランプ爪を前記挿通孔内に没入させる回転・昇降部材と、この回転・昇降部材を押し上げ付勢する付勢部材と、この付勢部材の付勢力に抗して前記回転・昇降部材を押し下げる方向およびその押し下げを解除する方向に移動させるクランプ解除レバーとを備え、前記ターンテーブルは、その下面に突設されて前記挿通孔に連通したクランプ爪収納部を形成する爪収納部突起を有し、前記回転・昇降部材には、当該回転・昇降部材の上昇動作時に前記爪収納部突起を嵌入させる突起収納孔が設けられているものである
【発明の効果】
【０００８】
この発明によれば、ターンテーブルに組み付けられたクランプ爪を前記ターンテーブルの挿通孔からの出没方向に回動させる回転・昇降部材の上昇時に、前記ターンテーブルの下面に突設された爪収納部突起を、前記回転・昇降部材に設けられた突起収納孔に嵌入させるように構成したので、前記回転・昇降部材の上昇位置では当該回転・昇降部材とターンテーブルとの間に前記爪収納部突起によるデッドスペースが生じるようなことがなく、このため、前記ターンテーブルのディスク回転駆動用モータからの高さが低くなってディスク再生部を薄型化できるという効果がある。
【発明を実施するための最良の形態】
【０００９】
実施の形態１．
図１はこの発明の実施の形態１によるディスククランプ装置をディスククランプ解除状態で示す側面図、図２は図１中のターンテーブルと回転・昇降部材を斜め下方から見た斜視図、図３は図１の分解図、図４は図１の断面図、図５は図４中のターンテーブルを取り外した状態を示す平面図、図６は図５のＡ−Ａ線断面図、図７は図１のディスククランプ時の状態を示す側面図、図８は図７中のターンテーブルと回転・昇降部材を下方から見た斜視図である。
図１に示すディスククランプ装置は、スピンドルモータ１（ディスク回転駆動用モータ）で回転駆動されるディスク載置用のターンテーブル２を備えている。このターンテーブル２は、その表面中央部に断面逆凹形状に形成されたディスク嵌合保持用のボス部２１と、このボス部２１に周方向へ所定の間隔で設けられて後述するクランプ爪３（図４参照）を出没させるための複数の挿通孔２２と、前記ボス部２１の裏側中心部に一体突設されて前記スピンドルモータ１の出力回転軸１ａに嵌着された中心筒状軸部２３（図３および図４参照）とを有している。
【００１０】
このようなターンテーブル２の裏側には、その挿通孔２２から出没させるディスククランプ用のクランプ爪３が回動可能に組み付けられ、そのクランプ爪３は前記ターンテーブル２のボス部２１の裏側に収納されるようになっており、そのクランプ爪３の収納空間を確保するために、前記ターンテーブル２の下面には、前記各挿通孔２２との対応位置で当該挿通孔２２に連通したクランプ爪収納部を形成する複数の爪収納部突起２４が前記中心筒状軸部２３の外側軸廻り方向に沿った所定間隔毎に一体突設されている。そして、前記ターンテーブル２の中心筒状軸部２３には、そのターンテーブル２と同期回転する円形板形状の回転・昇降部材４が昇降自在に外嵌めされている。
【００１１】
前記回転・昇降部材４には、図３および図４に示すように上向きの中心ボス部４０が一体形成され、この中心ボス部４０が前記ターンテーブル２の下向きの中心筒状軸部２３に昇降自在に嵌合され、かつ当該中心筒状軸部２３に軸回り方向が係合されて前述のようにターンテーブル２と回転・昇降部材４とが同期回転するようになっている。このような回転・昇降部材４の上昇時には当該回転・昇降部材の中心ボス部４０がターンテーブル２のボス部２１裏側の凹状空間部に収納されるようになっている。また、前記中心ボス部４０には下端が開放された環状溝４１（図４参照）が設けられ、この環状溝４１を介して前記スピンドルモータ１と前記回転・昇降部材４との間にスプリング５（付勢部材）が介在され、このスプリング５によって前記回転・昇降部材４は押し上げ付勢されている。このような回転・昇降部材４の下面には、前記スプリング５の押し上げ付勢力による回転・昇降部材４の上昇位置で前記各爪収納部突起２４をそれぞれ嵌入させるための突起収納孔４２が設けられている。
【００１２】
ここで、前記クランプ爪３の取付け構造および当該クランプ爪３と回転・昇降部材４との連動構成について詳細を説明すると、図４に示すように、前記クランプ爪３の基端部両側には支軸部３１と係合ピン部３２が平行離間状態に一体形成されており、前記支軸部３１がターンテーブル２における挿通孔２２の内側壁部に形成された係合溝２５に回動可能に嵌め込み支承されている。また、前記回転・昇降部材４の中心ボス部４０の外周には、前記挿通孔２２に対応位置する上下一対の係合突起４３，４４が一体形成され、それらの係合突起４３，４４に前記クランプ爪３の係合ピン部３２が嵌め込み係合されており、その嵌め込み係合により、前記回転・昇降部材４の昇降動作に追従して前記クランプ爪３が支軸部３１を中心に回動するようになっている。なお、前記係合突起４３，４４は、前記クランプ爪３の係合ピン部３２を回動可能に嵌め込み保持させ得るものであればよいので、前記係合ピン部３２を回動可能に組み付けることが可能なピン係合溝やピン係合孔を前記回転・昇降部材４に形成して前記係合突起４３，４４と置き換えることも可能である。
【００１３】
以上のように構成されたディスククランプ装置は、前記回転・昇降部材４をスプリング５の押し上げ付勢力に抗して押し下げる一対のクランプ解除レバー６，７を備えている。ここで、前記スピンドルモータ１および前記ターンテーブル２と回転・昇降部材４等のユニットは、ディスク再生装置に備え付けられて前記ターンテーブル２をディスク再生位置と退避位置とに機械的に搬送する水平回動可能な搬送アーム１０に搭載されており、その搬送アーム１０上に前記クランプ解除レバー６，７がピンＰ１，Ｐ２（図５および図６参照）を介して回動可能に軸支されている。それらのクランプ解除レバー６，７は、両者の軸支ピンＰ１とＰ２との間で互いに連動しているもので、クランプ解除方向の付勢力を有している。すなわち、前記クランプ解除レバー６，７は、それぞれの軸支ピンＰ１，Ｐ２の中間部で互い違い状に交差して係脱する交差係脱部６ａ，７ａを有している。
【００１４】
そして、前記一方のクランプ解除レバー６は図６中に示す捩りばね（回動付勢手段）８によってクランプ解除方向に付勢され、その付勢状態において、前記両クランプ解除レバー６，７の交差係脱部６ａ，７ａの相互が当接係合状態に保持されるようになっている。
ここで、前記搬送アーム１０にはピンガイド孔１０ａが設けられ、このピンガイド孔１０ａを介してディスク再生装置のモード切替機構に連動する回動レバー９に設けられた係合ピン９ａが前記クランプ解除レバー６，７の交差係脱部６ａ，７ａに当接係合しており、それらのクランプ解除レバー６，７を捩りばね８の回動付勢力に抗してディスククランプ方向に回動させるようになっている。
【００１５】
次に動作について説明する。
搬送アーム１０上のターンテーブル２がディスク再生装置の筐体内における退避位置に保持されている状態では、クランプ解除レバー６，７が回転・昇降部材４をスプリング５の押し上げ付勢力に抗して押し下げ位置に保持しているため、ターンテーブル２の各クランプ爪３はターンテーブル２の挿通孔２２から没入した状態に保持されている。この状態において、ディスク再生装置のモード切替機構に連動して前記搬送アーム１０が水平回動し、当該搬送アーム１０上のターンテーブル２が退避位置からデスク再生位置に搬送され、前記ターンテーブル２上にディスク（図示せず）が載置されると、その載置完了センサ信号で前記クランプ解除レバー６，７系統の回動レバー９が動作して前記クランプ解除レバー６，７が捩りばね８の付勢力で前記回転・昇降部材４上から後退移動する。
【００１６】
その後退移動により、前記回転・昇降部材４がスプリング５の押し上げ付勢力で上昇動作することで、前記回転・昇降部材４に追従回動するクランプ爪３が挿通孔２２から突出してターンテーブル２上のディスクをクランプする。このように前記回転・昇降部材４がスプリング５の押し上げ付勢力で上昇動作することにより、前記クランプ爪３が挿通孔２２から突出してターンテーブル２上のディスクをクランプするが、前記回転・昇降部材４の上昇動作時には、当該回転・昇降部材４の中心ボス部４０が前記ターンテーブル２のボス部２１の裏側凹状内部に収納されると共に、図７および図８に示すように、前記ターンテーブル２下面の爪収納部突起２４が回転・昇降部材４の突起収納孔４２内に嵌入収納されて前記回転・昇降部材４のベース４ａ上面がターンテーブル２の下面に当接した状態に保持される。
【００１７】
そして、ディスク再生終了後には、前記回動レバー９が戻りばね８の付勢力に抗して駆動されることで、前記クランプ解除レバー６，７が回転・昇降部材４上に乗り上げて当該回転・昇降部材４をスプリング５の押し上げ付勢力に抗して押し下げる。その回転・昇降部材４の下降動作に追従してクランプ爪３が前記挿通孔２２から没入する方向に回動することで、前記クランプ爪３によるディスククランプが解除され、前記ターンテーブル２上からのディスク搬出が可能となる。
【００１８】
以上説明した実施の形態１によれば、ターンテーブル２の下面にクランプ爪収納部を形成する爪収納部突起２４を一体突設したものでありながら、前記ターンテーブル２の下方に当該ターンテーブル２と同期回転可能および昇降下降に配置され、かつスプリング５で押し上げ方向に付勢された回転・昇降部材４に、当該回転・昇降部材４の前記スプリング５の押し上げ付勢力による上昇動作時に前記爪収納部突起２４を嵌入させる突起収納孔４２を設けるように構成したので、前記回転・昇降部材４の上昇位置では、前述のように、ターンテーブル２下面の爪収納部突起２４が回転・昇降部材４の突起収納孔４２に嵌入することにより、前記回転・昇降部材４のベース部４ａの上面をターンテーブル２の下面に当接させることが可能となって当該ターンテーブル２と前記回転・昇降部材４との間にデッドスペースが生じるようなことがなくなり、このため、スピンドルモータ１からのターンテーブル２の高さを低くすることができてディスク再生部を薄型化できるという効果がある。
【図面の簡単な説明】
【００１９】
【図１】この発明の実施の形態１によるディスククランプ装置をディスククランプ解除状態で示す側面図である。
【図２】図１中のターンテーブルと回転・昇降部材を下方から見た斜視図である。
【図３】図１の分解図である。
【図４】図１の拡大断面図である。
【図５】図４中のターンテーブルを取り外した状態を示す平面図である。
【図６】図５のＡ−Ａ線断面図である。
【図７】図１のディスククランプ時の状態を示す側面図である。
【図８】図７中のターンテーブルと回転・昇降部材を下方から見た斜視図である。
【符号の説明】
【００２０】
１  スピンドルモータ（ディスク回転駆動用モータ）、１ａ  出力回転軸、２  ターンテーブル、３  クランプ爪、４  回転・昇降部材、５  スプリング（付勢部材）、６，７  クランプ解除レバー、６ａ，７ａ  交差係脱部、８  捩りばね、９  回動レバー、９ａ  係合ピン、１０  搬送アーム、１０ａ  ピンガイド孔、２１  ボス部、２２  挿通孔、２３  中心筒状軸部、２４  爪収納部突起、３１  支軸部、３２  係合ピン、４０  中心ボス部、４１  環状溝、４２  突起収納孔、４３，４４  係合突起、Ｐ１,Ｐ２  ピン。
【図１】
2006351119.tif 000003
【図２】
2006351119.tif 000004
【図３】
2006351119.tif 000005
【図４】
2006351119.tif 000006
【図５】
2006351119.tif 000007
【図６】
2006351119.tif 000008
【図７】
2006351119.tif 000009
【図８】
2006351119.tif 000010